(57)【要約】【課題】  除雪機の除雪幅を格納時に簡単に狭くする構成である。【解決手段】  機体の前部に設けた除雪板の前方に、それと平行に螺旋状の集雪オーガーを配置し、エンジン駆動による除雪機である。前記除雪機であって、エンジンの駆動力を集雪オーガーの中央部に伝達させるとともに、左右の集雪部を分割して集雪ユニットを構成し、中央部の集雪オーガーの回転軸端と左右集雪部の回転軸端には相互に係合部材を具備させて上方へ折り畳み可能に構成したことによって格納面積を狭くできて、さらに除雪場所の地形に合わせて左右の突出部を選択して折り畳んで利用できて便利である。【選択図】      図６
2005226370.tif 000002
【特許請求の範囲】
【請求項１】
機体の前部に設けた除雪板の前方に、それと平行に螺旋状の集雪オーガーを配置し、エンジン駆動による除雪機において、エンジンの駆動力を集雪オーガーの中央部に伝達させるとともに、左右の集雪部を分割して集雪ユニットを構成し、中央部の集雪オーガーの回転軸端と左右集雪部の回転軸端には相互に係合部材を具備させて上方へ折り畳み可能にしたことを特徴とする除雪機。
【請求項２】
左右の集雪部ユニットの一方か、全部を折り畳んだ状態で中央部の集雪オーガーが集雪作業可能な請求項１記載の除雪機。
【発明の詳細な説明】
【技術分野】
【０００１】
本発明は、前部に除雪板と集雪オーガーおよび投雪用ブロアから成る除雪部を配置した除雪機に関し、詳しくはその除雪部を分割して折り畳む構成に関する。
【背景技術】
【０００２】
歩行型除雪機は一般農家や、家庭に多く用いられるが、小廻り性や非使用時の格納の際に面積を小さくする為に車体幅も広くしないで、除雪部幅も制限されていた。従来、利用場所，地形に応じて除雪幅の広狭調節可能な小型除雪機としては「機体の前部に設けた除雪板の前方にそれと平行にらせん状の集雪オーガを配置したエンジン駆動式歩行型除雪機に於て、上記除雪板の側部に補助除雪板を幅方向に出し入れ可能に重ね、その出し入れ位置止め具を具えると共に、上記集雪オーガのらせん翼板の端部に重なり合いそのらせんに沿って回転させて出し入れする補助オーガを設け、その補助オーガの軸を主オーガの軸に嵌合させ、両軸間に出し入れ位置固定具を設けた歩行型除雪機の除雪幅調節装置」が公知である。（特許文献１）
【特許文献１】実開昭５９−１６３６１４号公報
【発明の開示】
【発明が解決しようとする課題】
【０００３】
前記した公知文献によれば、集雪オーガーのらせん翼板の端部に重なり合いをもって、らせんに沿って回転させて出し入れする補助オーガーを設けるもので、このオーガーの重なり部に雪が付着して流動性を阻害したり、補助オーガーの先端部が自由端になる片持支持となっているために強度上に問題があった。
【０００４】
上記課題を解決するために、機体の前部に設けた除雪板の前方に、それと平行に螺旋状の集雪オーガーを配置し、エンジン駆動による除雪機において、エンジンの駆動力を集雪オーガーの中央部に伝達させるとともに、左右の集雪部を分割して集雪ユニットを構成し、中央部の集雪オーガーの回転軸端と左右集雪部の回転軸端には相互に係合部材を具備させて上方へ折り畳み可能にしたことを特徴とする除雪機を提供する。
【０００５】
又、請求項１記載の除雪機において、左右の集雪部ユニットの一方か、全部を折り畳んだ状態で中央部の集雪オーガーが集雪作業可能な構成である。
【発明の効果】
【０００６】
以上のような構成にしたので、集雪オーガーは従来の基本的形状を変えないで、必要に応じて集雪オーガーの左右に突出した集雪ユニットを上方へ折り畳むことによって、小面積に格納できる。又、利用場所の地形状況に合わせて一方が、両方の集雪ユニットを折り畳んで集雪幅を調整して除雪ができるので、きめ細かな除雪作業ができる。
【発明を実施するための最良の形態】
【０００７】
本発明を実施した図面に基づいて構成を説明する。図１は本発明を実施した正面図、図２は同じく平面図、図３は一部を切欠いた側面図、図４は折り畳んだ状態の側面図、図５は折り畳んだ状態の正面図及び図６は集雪ユニットの折り畳み説明図である。
【０００８】
図１，図２，図３は、集雪オーガーの全幅で集雪除雪する場合を示したものである。
【０００９】
１は走行ローラを示し、フレームケース２の左右に配置される走行部である。４は走行部の後方に設けた操作部を示し、左右一対のハンドル５を有して操作パネルを具備している。
【００１０】
３はエンジンを示し、走行用ミッションと前方の除雪部２２の駆動部とに動力が分配される。
【００１１】
除雪部２２は投雪ブロア１２と集雪オーガー部と除雪板からなる。集雪オーガー部は中央部２８の集雪オーガー１１と両端突出部の延長オーガー１７，１７´とからなる。１５，１５´は集雪ユニットを示し、延長回転軸１６、延長オーガー１７、及び延長除雪板１９とから構成されて、中央側除雪板１８の背面に設けたボス軸２１と延長除雪板１９の背面に設けたボス軸２１´とに挿着された回動ピン２０を支点として折り畳み可能である。
【００１２】
１２は投雪ブロアを示し、集雪オーガー１１によって送られる雪を１３の投雪シュートを介して、所定の距離の場所へ投雪する。
【００１３】
６はエンジン３の前方に設けられた出力軸を示し、ベルト伝動によって主軸９を回転する。主軸９は、投雪ブロア１２を回転させ、さらに集雪オーガー１１を回転させる変速ボックス１０を駆動する。
【００１４】
２３，２４は爪クラッチを示し、中央部２８の集雪オーガー１１を駆動する回転軸１４の両端と延長回転軸１６端とを互いに係合させて回転力を伝達させるものであり、本実施例では公知な爪クラッチである。
【００１５】
２６は中央部２８の回転軸１４の端部と除雪板１８とを支持するステーを示す。２６´は集雪ユニット１５，１５´側の回転軸１６の端部を支持するステーである。
【００１６】
２７はストッパピンを示し、中央部の除雪板１８に対する左右の集雪ユニット１５，１５´を作業時にロックするものであり、折り畳み時には解除される。
【００１７】
図４，図５は端部の集雪ユニット１５を中央部の除雪板１８の背面に回動ピン２０を支点として平行状に折り畳んだ状態である。２５，２５´はストッパピン２７が挿入される係合孔である。中央部の集雪オーガー１１の幅は走行部の機体巾と略同一である。
【００１８】
図６において、中央部の集雪オーガー１１の両端部に設けた爪クラッチ２３，２４から集雪ユニット１５，１５´側の爪クラッチ２３´，２４´が離脱して上昇へ回転して折り畳まれる。２９はロックピンを示し、集雪ユニット１５，１５´を上方へ折り畳んだ際に固定させる。集雪ユニット１５，１５´は左右独立して折り畳み可能で、折り畳んだ状態で中央部の集雪オーガー１１は独立的に回転駆動が可能である。
【図面の簡単な説明】
【００１９】
【図１】本発明を実施した正面図
【図２】同じく平面図
【図３】一部を切欠いた側面図
【図４】折り畳んだ状態の側面図
【図５】折り畳んだ状態の正面図
【図６】集雪ユニットの折り畳み説明図
【符号の説明】
【００２０】
１      走行クローラ
２      フレームケース
３      エンジン
４      操作部
５      ハンドル
６      出力軸
８      伝動プーリ
９      主軸
１０    変速ボックス
１１    集雪オーガー
１２    投雪ブロア
１３    投雪シュート
１４    回転軸
１５，１５´    集雪ユニット
１６    延長回転軸
１７，１７´    延長オーガー
１８    除雪板
１９    延長除雪板
２０    回動ピン
２１，２１´    ボス軸
２２    除雪部
２３，２３´    爪クラッチ
２４，２４´    爪クラッチ
２５，２５´    係合孔
２６，２６´    ステー
２７    ストッパピン
２８    中央部
２９    ロックピン
【図１】
2005226370.tif 000003
【図２】
2005226370.tif 000004
【図３】
2005226370.tif 000005
【図４】
2005226370.tif 000006
【図５】
2005226370.tif 000007
【図６】
2005226370.tif 000008